(57)【特許請求の範囲】
【請求項１】
凹部が形成された基体と、
前記凹部の内側に配置された発光素子と、
前記凹部の開口部に配置された輝度向上フィルムと、
前記輝度向上フィルムに重ねて配置された液晶レンズと
を備え、
前記輝度向上フィルムの透過軸が前記液晶レンズの配向方向と一致しており、前記凹部の底面及び側面が反射体で形成され、該反射体が偏光解消処理されている
照明装置。
【請求項２】
前記凹部は、開口部から前記輝度向上フィルムと平行な底面に向かって断面積が徐々に小さくなる逆錐台の形状である請求項１に記載の照明装置。
【請求項３】
凹部が形成された筐体と、
前記凹部の内側に配置された発光素子と、
前記凹部の底部に配置された反射体と、
前記発光素子が発する光の光軸方向に対し傾斜して前記凹部の開口部に配置された輝度向上フィルムと、
前記輝度向上フィルムに重ねて配置された液晶レンズと
を備え、
前記輝度向上フィルムの透過軸が前記液晶レンズの配向方向と一致しており、前記反射体の反射面が前記輝度向上フィルムに対して平行に配置され、且つ、偏光解消処理されている
照明装置。
【請求項４】
凹部が形成された筐体と、
前記凹部の内側に配置された発光素子と、
前記凹部の底部に配置された反射体と、
前記発光素子が発する光の光軸方向に対し傾斜して前記凹部の開口部に配置された輝度向上フィルムと、
前記反射体と前記輝度向上フィルムとの間に設けられたλ／４板（λは波長）と、
前記輝度向上フィルムに接して配置された液晶レンズと
を備え、
前記輝度向上フィルムの透過軸が前記液晶レンズの配向方向と一致しており、前記反射体の反射面が前記輝度向上フィルムに対し平行に配置されている
照明装置。
【請求項５】
凹部が形成された筐体と、
前記凹部の内側に配置された発光素子と、
前記凹部の底部に配置された反射体と、
前記発光素子から発せられた光の入射角がブリュースター角に設定されて前記凹部の開口部に配置された液晶レンズと
を備え、
前記反射体の反射面が前記液晶レンズに対し平行に配置され、且つ、偏光解消処理されている
照明装置。
【請求項６】
前記液晶レンズは、２つの透明基板と、２つの透明基板間に封入された液晶材料から成る液晶層とを有し、液晶層間に印加する電圧に応じてレンズ性能が可変である請求項１から５の何れか一項に記載の照明装置。
【発明の詳細な説明】
【技術分野】
【０００１】
本開示は、照明装置及び照明装置の駆動方法に関する。
【背景技術】
【０００２】
照明装置の一種として、液晶レンズを用い、当該液晶レンズの電極膜に印加する電圧によって、発光源から出射する光の経路を電気的に制御し得る機能を有する発光装置が知られている（例えば、特許文献１参照）。
【先行技術文献】
【特許文献】
【０００３】
【特許文献１】特開２００５−３１７８７９号公報
【発明の概要】
【発明が解決しようとする課題】
【０００４】
特許文献１に記載の従来技術では、液晶レンズがある一方向の偏光にしかレンズとして作用しないためレンズ効率（性能）が悪い。また、液晶レンズの上に更にレンズを重ねることで、レンズ効率の改善を図っているが、レンズの数が増えることによって構成が複雑になるとともに、コスト高になってしまう。
【０００５】
従って、本開示の目的は、簡単な構成にて照明性能の向上を図ることができる照明装置及び照明装置の駆動方法を提供することにある。
【課題を解決するための手段】
【０００６】
上記の目的を達成するための、本開示の照明装置は、
一方向に偏光した光を発する光源部、及び、
偏光依存性を持ち、光源部から発せられた光を拡散または散乱させる光学素子、
を備える照明装置である。ここで、光学素子が持つ「偏光依存性」とは、光学素子の光学特性が入射光の偏光方向に依存することを言う。
【０００７】
あるいは又、上記の目的を達成するための、本開示の照明装置の駆動方法は、
偏光依存性を持ち、入射光を拡散または散乱させる光学素子を用いた照明装置の駆動に当たって、
光学素子に対して一方向に偏光した光を入射する照明装置の駆動方法である。
【０００８】
上記の構成の照明装置、あるいは又、照明装置の駆動方法において、偏光依存性を持つ光学素子に対して、光源部から一方向に偏光した光を入射することで、光学素子は、様々な偏光が混在する状態の光（即ち、一方向に偏光しない光）を入射する場合に比べて高い光利用効率にて入射光を散乱させる。従って、レンズを重ねるという複雑な構成を採らなくても、光学素子において、強い光強度の散乱光を照明光として得ることができる。
【発明の効果】
【０００９】
本開示の照明装置、あるいは又、本開示の照明装置の駆動方法によれば、レンズを重ねるという複雑な構成を採らなくても、強い光強度の照明光を得ることができるために、簡単な構成にて照明性能の向上を図ることができる。
【図面の簡単な説明】
【００１０】
【図１】図１は、実施例１に係る照明装置の構成を示す断面図である。
【図２】図２は、液晶レンズの焦点を光源付近に設定したときの、液晶レンズＯＦＦ時の光の振る舞い（Ａ）、上から見た際の液晶配向の状態（Ｂ）、及び、液晶層における光学位相差分布（Ｃ）をそれぞれ示す図である。
【図３】図３は、液晶レンズの焦点を光源付近に設定したときの、液晶レンズＯＮ時の光の振る舞い（Ａ）、上から見た際の液晶配向の状態（Ｂ）、及び、液晶層における光学位相差分布（Ｃ）をそれぞれ示す図である。
【図４】図４は、液晶レンズの焦点を光源付近から外して設定したときの、液晶レンズＯＦＦ時の光の振る舞い（Ａ）、上から見た際の液晶配向の状態（Ｂ）、及び、液晶層における光学位相差分布（Ｃ）をそれぞれ示す図である。
【図５】図５は、液晶レンズの焦点を光源付近から外して設定したときの、液晶レンズＯＮの光の振る舞い（Ａ）、上から見た際の液晶配向の状態（Ｂ）、及び、液晶層における光学位相差分布（Ｃ）をそれぞれ示す図である。
【図６】図６は、実施例２に係る照明装置の構成を示す断面図である。
【図７】図７は、液晶レンズの焦点を光源付近に設定したときの、液晶レンズＯＦＦ時の光の振る舞い（Ａ）、上から見た際の液晶配向の状態（Ｂ）、及び、液晶層における光学位相差分布（Ｃ）をそれぞれ示す図である。
【図８】図８は、液晶レンズの焦点を光源付近に設定したときの、液晶レンズＯＮ時の光の振る舞い（Ａ）、上から見た際の液晶配向の状態（Ｂ）、及び、液晶層における光学位相差分布（Ｃ）をそれぞれ示す図である。
【図９】図９は、液晶レンズの焦点を光源付近から外して設定したときの、液晶レンズＯＦＦ時の光の振る舞い（Ａ）、上から見た際の液晶配向の状態（Ｂ）、及び、液晶層における光学位相差分布（Ｃ）をそれぞれ示す図である。
【図１０】図１０は、液晶レンズの焦点を光源付近から外して設定したときの、液晶レンズＯＮの光の振る舞い（Ａ）、上から見た際の液晶配向の状態（Ｂ）、及び、液晶層における光学位相差分布（Ｃ）をそれぞれ示す図である。
【図１１】図１１は、実施例３に係る照明装置の構成を示す断面図である。
【図１２】図１２は、液晶レンズがＯＦＦ時の光の振る舞い（Ａ）及び液晶配向の状態（Ｂ）をそれぞれ示す図である。
【図１３】図１３は、液晶レンズがＯＮ時の光の振る舞い（Ａ）及び液晶配向の状態（Ｂ）をそれぞれ示す図である。
【図１４】図１４は、実施例４に係る照明装置の構成を示す断面図である。
【図１５】図１５は、液晶レンズがＯＦＦ時の光の振る舞い（Ａ）及び液晶配向の状態（Ｂ）をそれぞれ示す図である。
【図１６】図１６は、液晶レンズがＯＮ時の光の振る舞い（Ａ）及び液晶配向の状態（Ｂ）をそれぞれ示す図である。
【図１７】図１７は、実施例５に係る照明装置の構成を示す断面図である。
【図１８】図１８の（Ａ），（Ｂ）は、ブリュースター角θBについての説明に供する図である。
【図１９】図１９は、液晶レンズがＯＦＦ時の光の振る舞い（Ａ）及び液晶配向の状態（Ｂ）をそれぞれ示す図である。
【図２０】図２０は、液晶レンズがＯＮ時の光の振る舞い（Ａ）及び液晶配向の状態（Ｂ）をそれぞれ示す図である。
【図２１】図２１は、実施例６に係る照明装置の構成を示す断面図である。
【図２２】図２２は、液晶レンズの焦点を光源付近に設定したときの、液晶レンズがＯＦＦ時の光の振る舞い（Ａ）及び上から見た際の液晶配向の状態（Ｂ）をそれぞれ示す図である。
【図２３】図２３は、液晶レンズの焦点を光源付近に設定したときの、液晶レンズがＯＮ時の光の振る舞い（Ａ）及び上から見た際の液晶配向の状態（Ｂ）をそれぞれ示す図である。
【図２４】図２４は、液晶レンズの焦点を光源付近から外して設定したときの、液晶レンズがＯＦＦ時の光の振る舞い（Ａ）及び上から見た際の液晶配向の状態（Ｂ）をそれぞれ示す図である。
【図２５】図２５は、液晶レンズの焦点を光源付近から外して設定したときの、液晶レンズがＯＮ時の光の振る舞い（Ａ）及び上から見た際の液晶配向の状態（Ｂ）をそれぞれ示す図である。
【図２６】図２６は、実施例７に係る照明装置の構成を示す断面図である。
【図２７】図２７は、液晶レンズの焦点を光源付近に設定したときの、液晶レンズがＯＦＦ時の光の振る舞い（Ａ）及び上から見た際の液晶配向の状態（Ｂ）をそれぞれ示す図である。
【図２８】図２８は、液晶レンズの焦点を光源付近に設定したときの、液晶レンズがＯＮ時の光の振る舞い（Ａ）及び上から見た際の液晶配向の状態（Ｂ）をそれぞれ示す図である。
【図２９】図２９は、液晶レンズの焦点を光源付近から外して設定したときの、液晶レンズがＯＦＦ時の光の振る舞い（Ａ）及び上から見た際の液晶配向の状態（Ｂ）をそれぞれ示す図である。
【図３０】図３０は、液晶レンズの焦点を光源付近から外して設定したときの、液晶レンズがＯＮ時の光の振る舞い（Ａ）及び上から見た際の液晶配向の状態（Ｂ）をそれぞれ示す図である。
【発明を実施するための形態】
【００１１】
以下、図面を参照して、実施形態に基づき本開示について説明する。本開示は実施形態に限定されるものではなく、実施形態における種々の数値や材料は例示である。以下の説明において、同一要素又は同一機能を有する要素には同一符号を用いることとし、重複する説明は省略する。尚、説明は、以下の順序で行う。
１．本開示の照明装置及び照明装置の駆動方法、全般に関する説明
２．実施例１
３．実施例２
４．実施例３
５．実施例４
６．実施例５
７．実施例６
８．実施例７
【００１２】
［本開示の照明装置及び照明装置の駆動方法、全般に関する説明］
本開示の照明装置は、一方向に偏光した光を発する光源部、及び、偏光依存性を持ち、光源部から発せられた光を拡散または散乱させる光学素子、を備えており、光源部から発せられる、一方向に偏光した光が光学素子を透過して照明光となる透過型の照明装置である。
【００１３】
一方向に偏光した光を発する光源部としては、発光素子と、発光素子と光学素子との間に配された偏光素子とを有する構成のものを用いることができる。発光素子は特に限定するものではない。発光素子としては、ＬＥＤ（発光ダイオード）、ＥＬ（エレクトロルミネセンス）、電球などの周知の光源を用いることができる。
【００１４】
ここで、偏光の成分は、ｐ偏光（ｐ波）とｓ偏光（ｓ波）とに分類される。ｐ偏光は、電場の振動方向が入射面に対して平行な偏光成分である。ｓ偏光は、電場の振動方向が入射面に対して垂直な偏光成分である。
【００１５】
一方向に偏光した光を発する光源部として、発光素子と偏光素子とを有する構成のものに代えて、半導体レーザなどの偏光発光素子を用いることができる。光源部が偏光発光素子から成ることで、発光素子と光学素子との間に配する偏光素子が不要になるため、その分だけ構成の簡略化を図ることができる利点がある。偏光発光素子としては、点光源のものを用いることもできるし、面光源のものを用いることもできる。
【００１６】
偏光素子には、多段階の反射を用いて直線偏光を作り出す反射型偏光素子と、ある方位の電場を吸収し、それに垂直な方位の電場を透過することにより直線偏光を作り出す吸収型偏光素子とがある。拡散または散乱させる光学素子として、後述する液晶レンズを用いた場合のレンズ効率を向上させる観点からすると、偏光素子として反射型偏光素子を用いるのが好ましい。
【００１７】
反射型偏光素子は特に限定するものではない。反射型偏光素子としては、例えば、輝度向上フィルム（Brightness Enhancement Film：ＢＥＦ）を用いるのが望ましい。輝度向上フィルムは、直線偏光を作り出す機能に加えて、光がシート内を通過する際に二重反射と光の屈折率を利用して光線を集約させることによって輝度を向上させる機能を持っている。
【００１８】
光源部において、発光素子の周辺、好ましくは、発光素子の周囲には、発光素子から発せられた光を光学素子側に反射するための反射体を配するのが望ましい。反射体の反射面（表面）は、偏光解消を起こすように表面処理されているのが好ましい。具体的には、偏光解消を起こすような素材や粗さで形成されるのが望ましい。ここで、「偏光解消」とは、特定の偏光しか持たない状態を、様々な偏光が混在する状態に変換することによって偏光を解消することを言う。
【００１９】
反射体の反射面は、発光素子から発せられる光の光軸方向に対して傾斜した傾斜面であってもよいし、当該光軸方向に対して垂直な平面であってもよい。いずれの場合にも、反射体の反射面は、偏光素子の素子面に対して平行な平面であるのが好ましい。ここで、「平行な平面」とは、厳密に平行な平面である場合の他、実質的に平行な平面である場合も含む。すなわち、設計上あるいは製造上生ずる種々のばらつきの存在は許容される。
【００２０】
光源部から発せられる光の光軸方向に対する光学素子の配置状態は特に限定するものではない。光学素子を光源部から発せられる光の光軸方向に対して垂直に配置する構成を採ることもできるし、当該光軸方向に対して傾斜して配置する構成を採ることもできる。前者の配置構成を採る場合に限らず、後者の配置構成を採る場合でも、反射体の反射面は、反射型偏光素子の素子面に対して平行な平面であるのが好ましい。
【００２１】
反射体の反射面と偏光素子との間には、λ／４（λは波長）位相差板、即ち、λ／４板を配置するのが好ましい。偏光素子がｐ偏光（ｐ波）を透過するのに対し、λ／４板は、偏光素子で反射されたｓ偏光（ｓ波）を２回の通過によってｐ偏光に変更して偏光素子に戻す作用を為す。従って、反射体の反射面と偏光素子との間にλ／４板を配することで、光利用効率を高めることができる。
【００２２】
また、光源部において、発光素子から発せられ、光学素子に入射する光の入射角をブリュースター角に設定するようにしてもよい。拡散または散乱させる光学素子に対する入射角をブリュースター角に設定することで、偏光素子を用いなくても光学素子に対して一方向に変更した光を入射させることができる。従って、光学素子に対する入射角をブリュースター角に設定することで、偏光素子を省略できる利点がある。
【００２３】
偏光依存性を持ち、入射光を拡散または散乱させる光学素子は特に限定するものではない。偏光依存性を持ち、入射光を拡散または散乱させる光学素子としては、液晶レンズや散乱型液晶素子などを例示することができる。液晶レンズは、液晶に電圧を印加すると、その印加電圧に応じて見かけ上の液晶の透過率が変化するのを利用したレンズの一種である。散乱型液晶素子は、光の散乱状態、非散乱状態（透過状態）でスイッチングを行う素子である。
【００２４】
散乱型液晶素子には、高分子分散型液晶素子（Polymer Dispersed Liquid Crystal：ＰＤＬＣ）や、動的散乱型（Dynamic Scattering Mode：ＤＳＭ）液晶素子などがある。高分子分散型液晶素子は、光の透過を散乱強度によって制御する素子である。動的散乱型液晶素子は、液晶分子の乱流などによる光散乱を用いて表示の明／暗の状態を制御する素子である。
【００２５】
上記の構成の照明装置、あるいは又、照明装置の駆動方法によれば、偏光依存性を持つ光学素子に対して、光源部から一方向に偏光した光を入射することで、光学素子は、様々な偏光が混在する状態の光（即ち、一方向に偏光しない光）を入射する場合に比べて高い光利用効率にて入射光を散乱させる。従って、レンズを重ねるという複雑な構成を採らなくても、光学素子において、強い光強度の散乱光を照明光として得ることができるため、簡単な構成にて照明性能の向上を図ることができる。
【００２６】
本開示の照明装置は、一般的な照明装置としての他、監視カメラ用の照明装置（光源装置）や、フラッシュ等のカメラ用の照明装置などとして用いることができる。但し、これらの用途に限られるものではない。例えば、自動車用の照明装置などとして用いることもできる。
【００２７】
以下に、偏光依存性を持ち、光源部から発せられた光を拡散または散乱させる光学素子として、例えば、液晶レンズを用いる実施形態に係る照明装置の具体的な実施例について説明する。
【００２８】
［実施例１］
図１は、実施例１に係る照明装置の構成を示す断面図である。図１において、（Ａ）は照明装置の断面図を、（Ｂ）は液晶レンズの断面図をそれぞれ示している。
【００２９】
図１の（Ａ）において、実施例１に係る照明装置１０Aは、所定の形状の基体１１を有している。基体１１は、上面側が開口した逆錐台の形状、即ち、開口面から底面に近づくに従って断面積が徐々に小さくなる形状の凹部１２Aを有している。凹部１２Aの逆錐台の形状は特に限定するものではない。凹部１２Aの逆錐台の形状については、逆角錐台の形状であってもよいし、逆円錐台の形状であってもよい。
【００３０】
基体１１の凹部１２Aの底面には、発光素子１３が配置されている。発光素子１３としては、ＬＥＤ、ＥＬ、電球などの周知の光源を用いることができる。発光素子１３が発する光の有効利用を図るために、凹部１２Aの内面は反射面となっている。すなわち、凹部１２Aを有する基体１１は、凹部１２Aの内面を反射面として、発光素子１３の周囲に配された反射体を構成している。また、凹部１２Aの内面、即ち、反射体の反射面は、偏光解消を起こすような素材や粗さで形成されている、即ち、偏光解消を起こすように表面処理されている。
【００３１】
基体１１の開口面上には、偏光素子が配されている。偏光素子は特に限定するものではない。本実施例１では、偏光素子として輝度向上フィルム（ＢＥＦ）１４を用いるものとする。以降の実施例においても同様とする。輝度向上フィルム１４は、発光素子１３が発した光のうち、ある一方向の光のみを透過し、当該一方向以外の光を反射する。
【００３２】
発光素子１３と輝度向上フィルム１４とは、一方向に偏光した光を発する光源部を構成している。また、発光素子１３が発する光の有効利用を図るために発光素子１３の周囲に配され、凹部１２Aの内面が反射面となって反射体を構成する基体１１も、光源部の構成要素の１つとなっている。
【００３３】
基体１１の凹部１２A内は単なる空間であってもよいし、当該凹部１２A内に例えば樹脂を充填してもよい。凹部１２A内に樹脂を充填することで、界面、即ち、輝度向上フィルム１４との境界面の反射を抑えることができる利点がある。
【００３４】
輝度向上フィルム１４の上には、液晶レンズ１５が偏光依存性を持つ光学素子として配されている。液晶レンズ１５は、２つの透明基板と、２つの透明基板間に封入された液晶材料から成る液晶層とを有し、液晶層間に印加する電圧に応じてレンズ性能が可変な構成となっている。
【００３５】
具体的には、図１の（Ｂ）に示すように、液晶レンズ１５は、透明基板である例えば２つのガラス基板１５１，１５２と、これらガラス基板１５１，１５２間に液晶材料が封止されて成る液晶層１５３とを有している。２つのガラス基板１５１，１５２は、無反射コーティングされている。液晶層１５３は、例えば、ホモジニアス分子配列のネマティック液晶から成る。
【００３６】
２つのガラス基板１５１，１５２の内面には、例えば、スズを添加した酸化インジウムのＩＴＯ膜といった金属酸化膜の透明電極が形成されている。具体的には、２つのガラス基板１５１，１５２の一方の内面には、電気的な接地面を形成するための透明電極１５４がガラス基板全面に亘って形成されている。また、２つのガラス基板１５１，１５２の他方の内面には、液晶層１５３に対して必要な電界分布を与えるための帯状の透明電極１５５が例えば環状に形成されている。
【００３７】
上記の構成の液晶レンズ１５において、液晶層１５３を挟む上下の透明電極１５４，１５５間に電圧を印加すると、複屈折率（即ち、液晶分子の長軸と短軸の屈折率差）を持つネマティック液晶が電場に沿って傾く。つまり、液晶分子（長軸の向き）と平行な方向の直線偏光をもった光にとって、液晶層１５３は電圧の分布に応じて局所的に異なった屈折率の分布をもった媒質と等価となる。従って、液晶層１５３を通過した光の波面には、液晶の印加電圧の面内分布に応じた空間的な波面変調、あるいは、位相変調が加わることになる。
【００３８】
液晶レンズ１５において、光学位相差（リタデーション）は、液晶材料の配合比などによって決まる。また、液晶層１５３に対する電圧の印加の仕方を変えると光学位相差分布が変わる。従って、液晶レンズ１５は、液晶層１５３に対して印加する電圧によって液晶レンズ１５の焦点距離や光の角度（方向）を電気的に制御できる光学素子である。
【００３９】
上述した実施例１に係る照明装置１０Aにおいて、発光素子１３及び輝度向上フィルム１４から成る光源部から一方向に偏光した光を発し、偏光依存性を持つ光学素子である液晶レンズ１５に対して入射することで、高い光利用効率にて入射光を散乱させることができる。これにより、強い光強度の散乱光を照明光として得ることができるために、従来技術のように、レンズを重ねるという複雑な構成を採らなくても、簡単な構成にて照明性能の向上を図ることができる。
【００４０】
また、輝度向上フィルム１４は、ある一方向の偏光成分については透過し、他の偏光成分については反射する構成の反射型偏光素子であることから、他の偏光成分を吸収する構成の吸収型偏光素子を用いる場合に比べて、液晶レンズ１５のレンズ効率を向上させることができる。
【００４１】
すなわち、輝度向上フィルム１４で反射された偏光成分は、反射体である基体１１の凹部１２Aの内面、即ち、反射面にて輝度向上フィルム１４の方向に反射される。このとき、基体１１の凹部１２Aの反射面が偏光解消を起こすように表面処理されていることで、反射光の偏光が解消されるため、ある一方向の偏光成分が輝度向上フィルム１４を再度透過する。これにより、光利用効率を更に高めることができるため、液晶レンズ１５のレンズ効率を向上させることができる。その結果、より強い光強度の照明光を得ることができるため、照明性能をより向上できる。
【００４２】
ところで、実施例１に係る照明装置１０Aの設計に当たっては、液晶レンズ１５の焦点を光源（発光素子１３）付近に設定する設計手法と、液晶レンズ１５の焦点を光源付近から外して設定する設計手法とを採ることができる。以下に、これらの設計手法を採ったときの光の振る舞いについて説明する。
【００４３】
（液晶レンズ１５の焦点を光源付近に設定したとき）
図２は、液晶レンズ１５の焦点を光源付近に設定したときの、液晶レンズ１５がＯＦＦ時の光の振る舞い（Ａ）、上から見た際の液晶配向の状態（Ｂ）、及び、液晶層１５３における光学位相差分布（Ｃ）をそれぞれ示す図である。ここで、「液晶レンズ１５がＯＦＦ」とは、液晶層１５３に対して電圧を印加しない状態を言う。以下の実施例においても同様とする。
【００４４】
図２の（Ａ）に一点鎖線で示す光の振る舞いから明らかなように、液晶レンズ１５の焦点を光源付近に設定した場合で、液晶レンズ１５がＯＦＦ状態のときは、照明装置１０Aの照明光は拡散光となる。
【００４５】
図３は、液晶レンズ１５の焦点を光源付近に設定したときの、液晶レンズ１５がＯＮ時の光の振る舞い（Ａ）、上から見た際の液晶配向の状態（Ｂ）、及び、液晶層１５３における光学位相差分布（Ｃ）をそれぞれ示す図である。ここで、「液晶レンズ１５がＯＮ」とは、液晶層１５３に対して電圧を印加する状態を言う。以下の実施例においても同様とする。
【００４６】
図３の（Ａ）に一点鎖線で示す光の振る舞いから明らかなように、液晶レンズ１５の焦点を光源付近に設定した場合で、液晶レンズ１５がＯＮ状態のときは、液晶レンズ１５の作用によって照明装置１０Aの照明光は平行光となる。ここで、「平行光」とは、照明装置１０Aから出射される光が厳密に平行である場合の他、実質的に平行である場合も含む。設計上あるいは製造上生ずる種々のばらつきの存在は許容される。
【００４７】
また、基体１１の凹部１２の内面、即ち、反射面が発光素子１３から発せられる光の光軸方向に対して傾斜していることに起因して平行度が多少落ちても、「平行光」の概念に含まれるものとする。すなわち、反射体の反射面に傾斜がついていると、当該反射面で反射される光の角度分布が大きくなり、その結果、液晶レンズ１５のＯＮ時の平行光線状態の平行度が落ちるが、このときの液晶レンズ１５からの出射光も平行光とする。
【００４８】
（液晶レンズ１５の焦点を光源付近から外して設定したとき）
図４は、液晶レンズ１５の焦点を光源付近から外して設定したときの、液晶レンズ１５がＯＦＦ時の光の振る舞い（Ａ）、上から見た際の液晶配向の状態（Ｂ）、及び、液晶層１５３における光学位相差分布（Ｃ）をそれぞれ示す図である。
【００４９】
図４の（Ａ）に一点鎖線で示す光の振る舞いから明らかなように、液晶レンズ１５の焦点を光源付近から外して設定した場合で、液晶レンズ１５がＯＦＦ状態のときは、照明装置１０Aの照明光は、液晶レンズ１５の焦点を光源付近に設定した場合と同様の拡散光となる。
【００５０】
図５は、液晶レンズ１５の焦点を光源付近から外して設定したときの、液晶レンズ１５がＯＮ時の光の振る舞い（Ａ）、上から見た際の液晶配向の状態（Ｂ）、及び、液晶層１５３における光学位相差分布（Ｃ）をそれぞれ示す図である。
【００５１】
図５の（Ａ）に一点鎖線で示す光の振る舞いから明らかなように、液晶レンズ１５の焦点を光源付近から外して設定した場合で、液晶レンズ１５がＯＮ状態のときは、液晶レンズ１５による散乱の作用によって照明装置１０Aの照明光は、ＯＦＦ状態のときよりも拡散した拡散光となる。
【００５２】
［実施例２］
図６は、実施例２に係る照明装置の構成を示す断面図である。図６において、（Ａ）は照明装置の断面図を、（Ｂ）は液晶レンズの断面図をそれぞれ示している。実施例２に係る照明装置１０Bは、反射体として機能する基体１１の凹部１２Bの形状の点で、実施例１に係る照明装置１０Aと相違している。図６の（Ｂ）に示す液晶レンズの構成については、図１の（Ｂ）に示す液晶レンズの構成と同じであるため、ここではその説明は省略する。
【００５３】
具体的には、実施例１に係る照明装置１０Aでは、凹部１２Aが逆錐台の形状となっていた。そのため、凹部１２Aの内面、即ち、反射面が、発光素子１３から発せられる光の光軸方向、更には、輝度向上フィルム１４のフィルム面に対して傾斜していた。
【００５４】
これに対して、実施例２に係る照明装置１０Bでは、凹部１２Bの形状を断面矩形の形状とし、凹部１２Bの底面を反射面とする構成を採っている。これにより、反射面となる底面は、発光素子１３から発せられる光の光軸方向に対して垂直、更には、輝度向上フィルム１４のフィルム面に対して平行な平面となっている。また、凹部１２Bの底面（反射面）は、偏光解消を起こすような素材や粗さで形成されている、即ち、偏光解消を起こすように表面処理されている。
【００５５】
上記の構成の実施例２に係る照明装置１０Bによれば、実施例１に係る照明装置１０Aの場合と同様の効果、即ち、従来技術のように、レンズを重ねるという複雑な構成を採らなくても、簡単な構成にて照明性能の向上を図ることができる、という効果を得ることができる。これに加えて、次のような作用、効果を得ることができる。
【００５６】
すなわち、反射体である基体１１の凹部１２Bの底面、即ち、反射面が、輝度向上フィルム１４のフィルム面に対して平行な平面であることで、当該反射面で反射される光の指向性の変化を傾斜面の場合に比べて正確にできる。具体的には、凹部１２Bの底面が平面であることで、輝度向上フィルム１４で反射された偏光成分の殆どが、当該底面（反射面）で正反射され、その際に偏光が解消されて輝度向上フィルム１４に入射する。従って、光の指向性の変化を反射面が傾斜面の場合に比べて正確にできるため、照明性能をより向上できる。
【００５７】
続いて、液晶レンズ１５の焦点を光源（発光素子１３）付近に設定する設計手法と、液晶レンズ１５の焦点を光源付近から外して設定する設計手法とを採ったときの光の振る舞いについて説明する。
【００５８】
（液晶レンズ１５の焦点を光源付近に設定したとき）
図７は、液晶レンズ１５の焦点を光源付近に設定したときの、液晶レンズ１５がＯＦＦ時の光の振る舞い（Ａ）、上から見た際の液晶配向の状態（Ｂ）、及び、液晶層１５３における光学位相差分布（Ｃ）をそれぞれ示す図である。
【００５９】
図７の（Ａ）に一点鎖線で示す光の振る舞いから明らかなように、液晶レンズ１５の焦点を光源付近に設定した場合で、液晶レンズ１５がＯＦＦ状態のときは、照明装置１０Bの照明光は拡散光となる。このときの拡散光は、反射体である基体１１の凹部１２Bの底面、即ち、反射面が、輝度向上フィルム１４のフィルム面に対して平行な平面であることから、照明装置１０Bの出射面の中心を基準として拡散する拡散光となる。
【００６０】
図８は、液晶レンズ１５の焦点を光源付近に設定したときの、液晶レンズ１５がＯＮ時の光の振る舞い（Ａ）、上から見た際の液晶配向の状態（Ｂ）、及び、液晶層１５３における光学位相差分布（Ｃ）をそれぞれ示す図である。
【００６１】
図８の（Ａ）に一点鎖線で示す光の振る舞いから明らかなように、液晶レンズ１５の焦点を光源付近に設定した場合で、液晶レンズ１５がＯＮ状態のときは、液晶レンズ１５による散乱の作用によって照明装置１０Bの照明光は平行光となる。特に、反射体である基体１１の凹部１２Bの底面（反射面）が、輝度向上フィルム１４のフィルム面に対して平行な平面であることから、反射面が傾斜面の場合に比べて平行光の平行度が高まる。
【００６２】
（液晶レンズ１５の焦点を光源付近から外して設定したとき）
図９は、液晶レンズ１５の焦点を光源付近から外して設定したときの、液晶レンズ１５がＯＦＦ時の光の振る舞い（Ａ）、上から見た際の液晶配向の状態（Ｂ）、及び、液晶層１５３における光学位相差分布（Ｃ）をそれぞれ示す図である。
【００６３】
図９の（Ａ）に一点鎖線で示す光の振る舞いから明らかなように、液晶レンズ１５の焦点を光源付近から外して設定した場合で、液晶レンズ１５がＯＦＦ状態のときは、照明装置１０Bの照明光は、液晶レンズ１５の焦点を光源付近に設定した場合と同様の拡散光となる。
【００６４】
図１０は、液晶レンズ１５の焦点を光源付近から外して設定したときの、液晶レンズ１５がＯＮ時の光の振る舞い（Ａ）、上から見た際の液晶配向の状態（Ｂ）、及び、液晶層１５３における光学位相差分布（Ｃ）をそれぞれ示す図である。
【００６５】
図１０の（Ａ）に一点鎖線で示す光の振る舞いから明らかなように、液晶レンズ１５の焦点を光源付近から外して設定した場合で、液晶レンズ１５がＯＮ状態のときは、液晶レンズ１５による散乱の作用によって照明装置１０Bの照明光は、ＯＦＦ状態のときよりも散乱した散乱光となる。
【００６６】
［実施例３］
図１１は、実施例３に係る照明装置の構成を示す断面図である。実施例３に係る照明装置１０Cは、実施例１，２の基体１１の代わりに筐体１６を用い、当該筐体１６内の底面に発光素子１３を配置し、発光素子１３が発する光の光軸方向に対して液晶レンズ１５及び輝度向上フィルム１４を傾斜させて筐体１６内に取り付けた構成となっている。
【００６７】
また、液晶レンズ１５の下方には、輝度向上フィルム１４のフィルム面に対して反射面が平行になるように反射体（反射板）１７が配置されている。反射体１７の反射面は、偏光解消を起こすような素材や粗さで形成されている、即ち、偏光解消を起こすように表面処理されている。
【００６８】
上記の構成の実施例３に係る照明装置１０Cにおいて、発光素子１３から発せられる光が輝度向上フィルム１４に入射すると、輝度向上フィルム１４は、ある一方向の偏光成分については透過し、他の偏光成分については反射する。輝度向上フィルム１４を透過した偏光成分は液晶レンズ１５で散乱されて照明光として出射される。
【００６９】
輝度向上フィルム１４で反射された偏光成分は、反射体１７の反射面にて輝度向上フィルム１４の方向に反射される。このとき、反射体１７の反射面が偏光解消を起こすように表面処理されていることで、反射光の偏光が解消されるため、ある一方向の偏光成分が輝度向上フィルム１４を再度透過する。これにより、光利用効率を更に高めることができるため、液晶レンズ１５のレンズ効率を向上させることができる。
【００７０】
また、液晶レンズ１５及び輝度向上フィルム１４が出射光に対して傾斜して配置され、かつ、反射体１７の反射面が輝度向上フィルム１４に対して平行な平面であることで、液晶レンズ１５の入射光をその入射する前に平行光にすることができる。これにより、発光素子１３が発する光を有効に利用することができるため、より強い光強度の照明光を得ることができる。
【００７１】
ここで、液晶レンズ１５がＯＦＦ状態のとき、ＯＮ状態のときの光の振る舞いについて説明する。
【００７２】
図１２は、液晶レンズ１５がＯＦＦ時の光の振る舞い（Ａ）及び液晶配向の状態（Ｂ）をそれぞれ示す図である。図１２の（Ａ）に一点鎖線で示す光の振る舞いから明らかなように、液晶レンズ１５がＯＦＦ状態のときは、液晶レンズ１５に入射した平行光がそのまま液晶レンズ１５を通過するため、照明装置１０Cの照明光は平行光となる。
【００７３】
図１３は、液晶レンズ１５がＯＮ時の光の振る舞い（Ａ）及び液晶配向の状態（Ｂ）をそれぞれ示す図である。図１３の（Ａ）に一点鎖線で示す光の振る舞いから明らかなように、液晶レンズ１５がＯＮ状態のときは、液晶レンズ１５に入射した平行光が、液晶レンズ１５による散乱の作用によって散乱されるために、照明装置１０Cの照明光は拡散光となる。
【００７４】
［実施例４］
図１４は、実施例４に係る照明装置の構成を示す断面図である。実施例４に係る照明装置１０Dは、反射体（反射板）１７の反射面と輝度向上フィルム１４との間に配されたλ／４板１８を有する点で、構成上、実施例３に係る照明装置１０Cと相違している。λ／４板１８は、直交する偏光成分の間にπ／２（＝９０度）の位相差を生じさせる複屈折素子（位相板）である。
【００７５】
尚、液晶レンズ１５は、実施例３の場合と同様に、発光素子１３から発せられる光の光軸に対して傾斜して配置されている。また、反射体１７の反射面については、実施例３の場合のような表面処理、即ち、偏光解消を起こすように表面処理を施さないものとする。これにより、反射体１７は、反射面に入射する光に対して、当該入射光の偏光状態を保持する作用を為す。
【００７６】
上記の構成の実施例４に係る照明装置１０Dによれば、実施例３に係る照明装置１０Cと同様の作用、効果を得ることができる。これに加えて、実施例４に係る照明装置１０Dによれば、次のような作用、効果を得ることができる。
【００７７】
すなわち、実施例４に係る照明装置１０Dにおいて、発光素子１３から発せられる光が輝度向上フィルム１４に入射すると、輝度向上フィルム１４は、ある一方向の偏光成分については透過し、他の偏光成分については反射する。具体的には、電場の振動方向が入射面に平行な偏光成分、即ち、ｐ偏光（ｐ波）を透過し、電場の振動方向が入射面に垂直な偏光成分、即ち、ｓ偏光（ｓ波）を反射する。輝度向上フィルム１４を透過したｐ偏光は液晶レンズ１５で散乱されて照明光として出射される。
【００７８】
輝度向上フィルム１４で反射されたｓ偏光は、λ／４板１８を通過し、次いで、反射体１７の反射面で偏光状態が保持されたまま反射され、再度λ／４板１８を通過する。すなわち、輝度向上フィルム１４で反射されたｓ偏光は、λ／４板１８を往復で２回通過することになる。これにより、ｓ偏光がｐ偏光に変更されて輝度向上フィルム１４に入射し、当該輝度向上フィルム１４を透過した後液晶レンズ１５で散乱されて照明光として出射される。
【００７９】
このように、反射体（反射板）１７の反射面と輝度向上フィルム１４との間にλ／４板１８を配することにより、輝度向上フィルム１４で反射されたｓ偏光をｐ偏光に変更して輝度向上フィルム１４に再度入射させることができるため、光利用効率を高めることができる。従って、より強い光強度の照明光を得ることができるため、照明性能をより高めることができる。
【００８０】
ここで、液晶レンズ１５がＯＦＦ状態のとき、ＯＮ状態のときの光の振る舞いについて説明する。
【００８１】
図１５は、液晶レンズ１５がＯＦＦ時の光の振る舞い（Ａ）及び液晶配向の状態（Ｂ）をそれぞれ示す図である。図１５の（Ａ）に一点鎖線で示す光の振る舞いから明らかなように、液晶レンズ１５がＯＦＦ状態のときは、液晶レンズ１５に入射した平行光がそのまま液晶レンズ１５を通過するため、照明装置１０Dの照明光は平行光となる。
【００８２】
図１６は、液晶レンズ１５がＯＮ時の光の振る舞い（Ａ）及び液晶配向の状態（Ｂ）をそれぞれ示す図である。図１６の（Ａ）に一点鎖線で示す光の振る舞いから明らかなように、液晶レンズ１５がＯＮ状態のときは、液晶レンズ１５に入射した平行光が、液晶レンズ１５による散乱の作用によって散乱されるために、照明装置１０Dの照明光は拡散光となる。
【００８３】
［実施例５］
図１７は、実施例５に係る照明装置の構成を示す断面図である。実施例５に係る照明装置１０Eは、実施例４に係る照明装置１０Dにおける輝度向上フィルム１４及びλ／４板１８を省略し、その代わりに、発光素子１３から発せられ、液晶レンズ１５に入射する光の入射角をブリュースター角に設定した構成となっている。尚、反射体１７の反射面については、実施例３の場合のような表面処理、即ち、偏光解消を起こすように表面処理を行うものとする。
【００８４】
ブリュースター角（または、偏光角）は、屈折率の異なる２つの物質の界面においてｐ偏光の反射角が０となる入射角である。図１８の（Ａ）に示すように、非偏光がブリュースター角θBで入射したとき、反射光は完全に偏光になる。屈折率の異なる２つの物質の界面にある角度をもって光が入射するとき、ｐ偏光とｓ偏光とでは反射率が異なる。図１８の（Ｂ）に示すように、入射角を０度から徐々に増加していくと、実線で示すｐ偏光の反射率は最初減少し、ブリュースター角θBで０となり、その後増加する。破線で示すｓ偏光の反射率は単調に増加する。
【００８５】
上記の構成の実施例５に係る照明装置１０Eにおいては、発光素子１３から液晶レンズ１５に入射する光の入射角をブリュースター角θBに設定することで、液晶レンズ１５に対して一方向に偏光した光を入射させることができる。従って、輝度向上フィルム１４を用いなくても実施例３に係る照明装置１０Cと同様の作用、効果を得ることができる。換言すれば、実施例３に係る照明装置１０Cよりも簡単な構成にて同様の作用、効果を得ることができる。
【００８６】
尚、本実施例５では、輝度向上フィルム１４に加えて、λ／４板１８をも省略するとしたが、反射体（反射板）１７の反射面と輝度向上フィルム１４との間にλ／４板１８を配するようにしてもよい。これにより、輝度向上フィルム１４を省略した簡単な構成にて実施例４に係る照明装置１０Dと同様の作用、効果を得ることができる。
【００８７】
ここで、液晶レンズ１５がＯＦＦ状態のとき、ＯＮ状態のときの光の振る舞いについて説明する。
【００８８】
図１９は、液晶レンズ１５がＯＦＦ時の光の振る舞い（Ａ）及び液晶配向の状態（Ｂ）をそれぞれ示す図である。図１９の（Ａ）に一点鎖線で示す光の振る舞いから明らかなように、液晶レンズ１５がＯＦＦ状態のときは、液晶レンズ１５に入射した平行光がそのまま液晶レンズ１５を通過するため、照明装置１０Eの照明光は平行光となる。
【００８９】
図２０は、液晶レンズ１５がＯＮ時の光の振る舞い（Ａ）及び液晶配向の状態（Ｂ）をそれぞれ示す図である。図２０の（Ａ）に一点鎖線で示す光の振る舞いから明らかなように、液晶レンズ１５がＯＮ状態のときは、液晶レンズ１５に入射した平行光が、液晶レンズ１５による散乱の作用によって照明装置１０Eの照明光は散乱光となる。
【００９０】
［実施例６］
図２１は、実施例６に係る照明装置の構成を示す断面図である。図２１において、（Ａ）は照明装置の断面図を、（Ｂ）は液晶レンズの断面図をそれぞれ示している。図２１の（Ｂ）に示す液晶レンズの構成については、図１の（Ｂ）に示す液晶レンズの構成と同じであるため、ここではその説明は省略する。
【００９１】
実施例６に係る照明装置１０Fは、光源部の発光素子として、一方向に偏光した光を発する偏光発光素子１９を用いた構成となっている。偏光発光素子１９は特に限定するものではない。偏光発光素子１９としては、半導体レーザなどを例示することができる。本実施例６で用いる偏光発光素子１９は点光源である。
【００９２】
上記の構成の実施例６に係る照明装置１０Fにおいては、発光素子として偏光発光素子１９を用いることで、当該偏光発光素子１９そのものが一方向に偏光した光を発することから、実施例１〜実施例４で用いるようにしていた偏光素子、具体的には、輝度向上フィルム１４が不要になる。これにより、大きなコスト上昇を伴わず、組み立てが容易で、高性能の照明装置１０Fを提供できる。
【００９３】
次に、液晶レンズ１５の焦点を光源（偏光発光素子１９）付近に設定する設計手法と、液晶レンズ１５の焦点を光源付近から外して設定する設計手法とを採ったときの光の振る舞いについて説明する。
【００９４】
（液晶レンズ１５の焦点を光源付近に設定したとき）
図２２は、液晶レンズ１５の焦点を光源付近に設定したときの、液晶レンズ１５がＯＦＦ時の光の振る舞い（Ａ）及び上から見た際の液晶配向の状態（Ｂ）をそれぞれ示す図である。図２２の（Ａ）に一点鎖線で示す光の振る舞いから明らかなように、液晶レンズ１５の焦点を光源付近に設定した場合で、液晶レンズ１５がＯＦＦ状態のときは、照明装置１０Fの照明光は拡散光となる。
【００９５】
図２３は、液晶レンズ１５の焦点を光源付近に設定したときの、液晶レンズ１５がＯＮ時の光の振る舞い（Ａ）及び上から見た際の液晶配向の状態（Ｂ）をそれぞれ示す図である。図２３の（Ａ）に一点鎖線で示す光の振る舞いから明らかなように、液晶レンズ１５の焦点を光源付近に設定した場合で、液晶レンズ１５がＯＮ状態のときは、実施例２の場合と同様に、液晶レンズ１５による散乱の作用によって照明装置１０Fの照明光は平行光となる。
【００９６】
（液晶レンズ１５の焦点を光源付近から外して設定したとき）
図２４は、液晶レンズ１５の焦点を光源付近から外して設定したときの、液晶レンズ１５がＯＦＦ時の光の振る舞い（Ａ）及び上から見た際の液晶配向の状態（Ｂ）をそれぞれ示す図である。図２４の（Ａ）に一点鎖線で示す光の振る舞いから明らかなように、液晶レンズ１５の焦点を光源付近から外して設定した場合で、液晶レンズ１５がＯＦＦ状態のときは、照明装置１０Fの照明光は、液晶レンズ１５の焦点を光源付近に設定した場合と同様の拡散光となる。
【００９７】
図２５は、液晶レンズ１５の焦点を光源付近から外して設定したときの、液晶レンズ１５がＯＮ時の光の振る舞い（Ａ）及び上から見た際の液晶配向の状態（Ｂ）をそれぞれ示す図である。図２５の（Ａ）に一点鎖線で示す光の振る舞いから明らかなように、液晶レンズ１５の焦点を光源付近から外して設定した場合で、液晶レンズ１５がＯＮ状態のときは、液晶レンズ１５による散乱の作用によって照明装置１０Fの照明光は、ＯＦＦ状態のときよりも拡散した拡散光となる。
【００９８】
［実施例７］
図２６は、実施例７に係る照明装置の構成を示す断面図である。図２６において、（Ａ）は照明装置の断面図を、（Ｂ）は液晶レンズの断面図をそれぞれ示している。
【００９９】
実施例７に係る照明装置１０Gは、実施例６に係る照明装置１０Fと同様に、光源部の発光素子として、一方向に偏光した光を発する偏光発光素子２０を用いた構成となっている。但し、実施例６に係る照明装置１０Fでは偏光発光素子１９が点光源であるのに対して、本実施例７に係る照明装置１０Gでは偏光発光素子２０が面光源となっている。偏光発光素子２０は特に限定するものではない。偏光発光素子２０としては、半導体レーザなどを例示することができる。
【０１００】
また、本実施例７で用いる液晶レンズ１５は、先の各実施例において用いた液晶レンズに比べて、より微細な液晶レンズの集合から成る構成となっている。これにより、液晶レンズ１５の縮小化を図ることができる。そして、液晶レンズ１５の縮小化に加えて、偏光発光素子２０からは平行光が出射されるために、照明装置１０Gのサイズを先の各実施例に係る照明装置に比べて小さくすることができる。
【０１０１】
次に、液晶レンズ１５の焦点を光源（偏光発光素子２０）付近に設定する設計手法と、液晶レンズ１５の焦点を光源付近から外して設定する設計手法とを採ったときの光の振る舞いについて説明する。
【０１０２】
（液晶レンズ１５の焦点を光源付近に設定したとき）
図２７は、液晶レンズ１５の焦点を光源付近に設定したときの、液晶レンズ１５がＯＦＦ時の光の振る舞い（Ａ）及び上から見た際の液晶配向の状態（Ｂ）をそれぞれ示す図である。図２７の（Ａ）に一点鎖線で示す光の振る舞いから明らかなように、液晶レンズ１５の焦点を光源付近に設定した場合で、液晶レンズ１５がＯＦＦ状態のときは、偏光発光素子２０から発せられる平行光がそのまま液晶レンズ１５を透過して照明装置１０Gの照明光となる。
【０１０３】
図２８は、液晶レンズ１５の焦点を光源付近に設定したときの、液晶レンズ１５がＯＮ時の光の振る舞い（Ａ）及び上から見た際の液晶配向の状態（Ｂ）をそれぞれ示す図である。図２８の（Ａ）に一点鎖線で示す光の振る舞いから明らかなように、液晶レンズ１５の焦点を光源付近に設定した場合で、液晶レンズ１５がＯＮ状態のときは、液晶レンズ１５による散乱の作用によって照明装置１０Gの照明光は拡散光となる。
【０１０４】
（液晶レンズ１５の焦点を光源付近から外して設定したとき）
図２９は、液晶レンズ１５の焦点を光源付近から外して設定したときの、液晶レンズ１５がＯＦＦ時の光の振る舞い（Ａ）及び上から見た際の液晶配向の状態（Ｂ）をそれぞれ示す図である。図２９の（Ａ）に一点鎖線で示す光の振る舞いから明らかなように、液晶レンズ１５の焦点を光源付近から外して設定した場合で、液晶レンズ１５がＯＦＦ状態のときは、照明装置１０Gの照明光は、液晶レンズ１５の焦点を光源付近に設定した場合と同様の平行光となる。
【０１０５】
図３０は、液晶レンズ１５の焦点を光源付近から外して設定したときの、液晶レンズ１５がＯＮ時の光の振る舞い（Ａ）及び上から見た際の液晶配向の状態（Ｂ）をそれぞれ示す図である。図３０の（Ａ）に一点鎖線で示す光の振る舞いから明らかなように、液晶レンズ１５の焦点を光源付近から外して設定した場合で、液晶レンズ１５がＯＮ状態のときは、液晶レンズ１５による散乱の作用によって照明装置１０Gの照明光はより拡散した拡散光となる。
【０１０６】
尚、本開示は以下のような構成を取ることができる。
（１）一方向に偏光した光を発する光源部、及び、
偏光依存性を持ち、光源部から発せられた光を拡散または散乱させる光学素子、
を備える照明装置。
（２）光源部は、発光素子と、発光素子と光学素子との間に配された偏光素子とを有する前記（１）に記載の照明装置。
（３）偏光素子は、反射型偏光素子である前記（２）に記載の照明装置。
（４）反射型偏光素子は、輝度向上フィルムである前記（３）に記載の照明装置。
（５）光源部は、発光素子の周辺に配された反射体を有する前記（１）から前記（４）のいずれかに記載の照明装置。
（６）反射体の反射面は、偏光解消を起こすように表面処理されている前記（５）に記載の照明装置。
（７）反射体の反射面は、偏光素子の素子面に対して平行な平面である前記（５）に記載の照明装置。
（８）反射体の反射面と偏光素子との間に配されたλ／４板（λは波長）を有する前記（７）に記載の照明装置。
（９）光学素子は、光源部から発せられる光の光軸に対して傾斜して配置されている前記（１）から前記（８）のいずれかに記載の照明装置。
（１０）光源部は、発光素子を有し、発光素子から発せられ、光学素子に入射する光の入射角がブリュースター角に設定されている前記（１）に記載の照明装置。
（１１）光源部は、発光素子の周辺に配された反射体を有する前記（１０）に記載の照明装置。
（１２）反射体の反射面は、偏光解消を起こすように表面処理されている前記（１１）に記載の照明装置。
（１３）反射体の反射面と光学素子との間に配されたλ／４板（λは波長）を有する前記（１１）または前記（１２）に記載の照明装置。
（１４）光源部は、偏光発光素子から成る前記（１）に記載の照明装置。
（１５）偏光発光素子は、半導体レーザである前記（１４）に記載の照明装置。
（１６）偏光発光素子は、点光源である前記（１４）または前記（１５）に記載の照明装置。
（１７）偏光発光素子は、面光源である前記（１４）または前記（１５）に記載の照明装置。
（１８）光学素子は、液晶レンズである前記（１）から前記（１５）のいずれかに記載の照明装置。
（１９）液晶レンズは、２つの透明基板と、２つの透明基板間に封入された液晶材料から成る液晶層とを有し、液晶層間に印加する電圧に応じてレンズ性能が可変である前記（１８）に記載の照明装置。
（２０）偏光依存性を持ち、入射光を拡散または散乱させる光学素子を用いた照明装置の駆動に当たって、
光学素子に対して一方向に偏光した光を入射する照明装置の駆動方法。
【符号の説明】
【０１０７】
１０A，１０B，１０C，１０D，１０E，１０F，１０G・・・照明装置、１１・・・基体（反射体）、１２A，１２B・・・凹部、１３・・・発光素子、１４・・・輝度向上フィルム、１５・・・液晶レンズ、１６・・・筐体、１７・・・反射体（反射板）、１８・・・λ／４板、１９，２０・・・偏光発光素子、１５１，１５２・・・ガラス基板、１５３・・・液晶層、１５４，１５５・・・透明電極
【図１】
0005683421.tif 000002
【図２】
0005683421.tif 000003
【図３】
0005683421.tif 000004
【図４】
0005683421.tif 000005
【図５】
0005683421.tif 000006
【図６】
0005683421.tif 000007
【図７】
0005683421.tif 000008
【図８】
0005683421.tif 000009
【図９】
0005683421.tif 000010
【図１０】
0005683421.tif 000011
【図１１】
0005683421.tif 000012
【図１２】
0005683421.tif 000013
【図１３】
0005683421.tif 000014
【図１４】
0005683421.tif 000015
【図１５】
0005683421.tif 000016
【図１６】
0005683421.tif 000017
【図１７】
0005683421.tif 000018
【図１８】
0005683421.tif 000019
【図１９】
0005683421.tif 000020
【図２０】
0005683421.tif 000021
【図２１】
0005683421.tif 000022
【図２２】
0005683421.tif 000023
【図２３】
0005683421.tif 000024
【図２４】
0005683421.tif 000025
【図２５】
0005683421.tif 000026
【図２６】
0005683421.tif 000027
【図２７】
0005683421.tif 000028
【図２８】
0005683421.tif 000029
【図２９】
0005683421.tif 000030
【図３０】
0005683421.tif 000031